(57)【要約】【課題】簡易な工程で効率よく製造することができる建材用複合材の製造方法及びその方法により製造される建材用複合材を提供する。【解決手段】帯状の金属箔１をロールフォーミング等により長手方向に沿って折曲して、内部に中空部１１が形成されると共に該中空部１１に連通する開口部１２が側面に形成された長尺体を連続的に成形し、引き続いて前記開口部１２から該長尺体の前記中空部１１に発泡性熱可塑性合成樹脂２を押出成形により充填するため、金属箔１を所定の断面形状に成形し、連続して発泡性熱可塑性合成樹脂２をその内部に充填すると言う一連の簡易な工程により効率的に建材用複合材Ｐを製造することができる。【選択図】        図１
2011157688.tif 000002
【特許請求の範囲】
【請求項１】
帯状の金属箔を長手方向に沿って折曲して、内部に中空部が形成されると共に該中空部に連通する開口部が側面に形成された長尺体を連続的に成形し、引き続いて前記開口部から該長尺体の前記中空部に発泡性熱可塑性合成樹脂を押出成形により充填することを特徴とする建材用複合材の製造方法。
【請求項２】
前記開口部の縁部を前記中空部の内方に向かって折曲して、該折曲部を前記中空部に充填された発泡性熱可塑性合成樹脂内に食い込ませることを特徴とする請求項１に記載の建材用複合材の製造方法。
【請求項３】
前記請求項１または２に記載の建材用複合材の製造方法によって製造されたことを特徴とする建材用複合材。
【発明の詳細な説明】
【技術分野】
【０００１】
本発明は、主に室内に用いられる建材用複合材の製造方法及びその製造方法により製造される建材用複合材に関するものである。
【背景技術】
【０００２】
従来、例えばステンレス製角材・棚板・膳板と言った主に室内に用いられる建材用複合材については、その一例として、建築やその他の各種産業分野において広く使用される難燃性断熱パネルや耐熱性断熱パネルについて、フェノール樹脂発泡体の少なくとも一方の面にシート状布材、接着剤層および金属箔が順に積層され、かつ前記金属箔として、展性を有する金属箔の少なくとも一方の面にエンボス加工を施してなるエンボス加工金属箔を用い、表面側がエンボス加工部となるように配したことを特徴とするフェノール樹脂発泡体積層板が提案されている（例えば特許文献１）。
【先行技術文献】
【特許文献】
【０００３】
【特許文献１】特開２００６−３５６７５号公報
【発明の概要】
【発明が解決しようとする課題】
【０００４】
しかしながら、かかる従来の建材用複合材であるフェノール樹脂発泡体積層板においては、フェノール樹脂を押出成形機等で発泡成形させて、また別の工程で金属箔が加工された後、成形したフェノール樹脂発泡体と金属箔とを貼り合せて製造するため、製造工程が煩雑であり、リードタイムも長く効率がよいとは言えないと言う問題があった。
【０００５】
本発明は、上記の如き課題に鑑みてなされたものであり、簡易な工程で効率よく製造することができる建材用複合材の製造方法及びその方法により製造される建材用複合材を提供せんとするものである。
【課題を解決するための手段】
【０００６】
上記目的を達成するために、本発明は次のような構成としている。
すなわち本発明に係る建材用複合材の製造方法は、帯状の金属箔を長手方向に沿って折曲して、内部に中空部が形成されると共に該中空部に連通する開口部が側面に形成された長尺体を連続的に成形し、引き続いて前記開口部から該長尺体の前記中空部に発泡性熱可塑性合成樹脂を押出成形により充填することを特徴とするものである。
【０００７】
また、本発明に係る建材用複合材の製造方法は、前記開口部の縁部を前記中空部の内方に向かって折曲して、該折曲部を前記中空部に充填された発泡性熱可塑性合成樹脂内に食い込ませることを特徴とするものである。
【０００８】
また、本発明に係る建材用複合材は、上記建材用複合材の製造方法によって製造されたことを特徴とするものである。
【発明の効果】
【０００９】
本発明によれば、帯状の金属箔をロールフォーミング等により長手方向に沿って折曲して、内部に中空部が形成されると共に該中空部に連通する開口部が側面に形成された長尺体を連続的に成形し、引き続いて前記開口部から該長尺体の前記中空部に発泡性熱可塑性合成樹脂を押出成形により充填するため、金属箔を所定の断面形状に成形し、連続して発泡性熱可塑性合成樹脂をその内部に充填すると言う一連の簡易な工程により効率的に建材用複合材を製造することができ、好ましい。
【００１０】
また本発明において、前記開口部の縁部を前記中空部の内方に向かって折曲して、該折曲部を前記中空部に充填された発泡性熱可塑性合成樹脂内に食い込ませるようにすれば、前記効果に加えて、金属箔の端部と発泡性熱可塑性合成樹脂とが強固に結合されることから、金属箔の端部が容易に剥離することがなく、耐久性に優れた建材用複合材を製造することができる。
【図面の簡単な説明】
【００１１】
【図１】本発明に係る建材用複合材の実施の一形態を示す斜視図である。
【図２】図１の拡大縦断面図である。
【図３】図１に示す形態の、金属箔を所定の断面形状に成形した状態を示す縦断面図である。
【図４】本発明に係る建材用複合材の別の実施形態を示す断面図である。
【図５】本発明に係る建材用複合材の更に別の実施形態を示す断面図である。
【図６】本発明に係る建材用複合材の製造工程を示す説明図である。
【発明を実施するための形態】
【００１２】
次に、本発明を実施するための最良の形態について図面を参照し、具体的に説明する。
Ｐは本発明に係る建材用複合材であって、内方に充填された発泡性熱可塑性合成樹脂２を芯として、その外方に表皮としての金属箔１が配置された如き感を呈しているものである。該建材用複合材Ｐは、ロール状に巻回された長尺の帯状の金属箔１をロールフォーミング等により長手方向に沿って折曲して、内部に中空部１１が形成されると共に該中空部１１に連通する開口部１２が側面に形成された断面略コ字状の長尺体を連続的に成形し、引き続いて前記開口部１２から該長尺体の前記中空部１１に発泡性熱可塑性合成樹脂２を押出成形により充填して形成される。
【００１３】
なお、長尺体の断面形状は前記略コ字状に限定されるものではなく、内部に中空部１１が形成され、該中空部１１に発泡性熱可塑性合成樹脂２を押出成形により充填するための前記中空部１１に連通する開口部１２が側面に形成されていればよく、そして前記開口部１２は本形態のように１側面にのみ形成されていてもよいが、図４に示されるように、長尺体の断面形状を略Ｌ字状に形成する等、複数側面に渡って形成されていてもよいし、図５に示されるように、複数側面に分かれてそれぞれの側面に形成されていてもよい。
【００１４】
そして、前記開口部１２の縁部が前記中空部１１の内方に向かって折曲され、該折曲部１３が前記中空部１１に充填された発泡性熱可塑性合成樹脂２内に食い込むように形成されている。
【００１５】
金属箔１としては、特に限定されるものではなく、一般に用いられるステンレス箔やアルミ箔が用いられ、発泡性熱可塑性合成樹脂２としては、特に限定されるものではなく、ポリスチレン、ＡＢＳ、ＡＡＳ、ＡＥＳ等のスチロール系樹脂、塩化ビニル樹脂が用いられ、その樹脂を１．２〜２．５倍に発泡させて建材用複合材Ｐが形成される。
【００１６】
なお前記樹脂を発泡させるには一般的には発泡剤が用いられ、該発泡剤としては、炭酸水素ナトリウム、アゾジカルボンアミド、ヒドラゾジカルボンアミド等が用いられるが、本形態においては、金属箔１としてステンレス箔が用いられ、そして発泡性熱可塑性合成樹脂２としては、ポリスチレン樹脂に炭酸水素ナトリウムからなる発泡剤が配合されたものが用いられている。
【００１７】
金属箔１と発泡性熱可塑性合成樹脂２とは、接着剤によって接着されて形成されてもよいし、発泡性熱可塑性合成樹脂２の樹脂材質に接着性を有する樹脂を用いて金属箔１と発泡性熱可塑性合成樹脂２とを接着してもよい。接着剤の材質としては、例えばポリウレタン系、ゴム系、エポキシ系、ＥＶＡ系、ホットメルト系等のものが用いられる。
【００１８】
次に、建材用複合材Ｐの製造方法について説明する。
図６は本発明に係る建材用複合材の製造工程を示す説明図であり、ロール状に巻回された長尺の帯状の金属箔１であるステンレス箔１ａの片面に、ロールコーター３等により接着剤を塗布した後、多段曲げロール４によるロールフォーミングにより、前記ステンレス箔１ａを長手方向に沿って折曲して、内部に中空部１１が形成されると共に該中空部１１に連通する開口部１２が側面に形成された断面略コ字状の長尺体を連続的に、且つ断面略コ字状の内側面に塗布された接着剤層が位置する様に成形し、引き続いてこの成形されたステンレス箔１ａの長尺体を押出成形機５のクロスヘッド金型内に送り込み、該金型内で断面略コ字状に形成された開口部１２から押出成形機５により該長尺体の前記中空部１１に発泡性熱可塑性合成樹脂２を充填し、加熱・発泡すると共に塗布された接着剤によってステンレス箔１ａと発泡性熱可塑性合成樹脂２とを接着させて、その後冷却用水槽６において前記長尺体を冷却し、最後に切断機７により所定の長さ寸法に切断して、本発明に係る建材用複合材Ｐが製造される。
【００１９】
かような製造方法により建材用複合材Ｐを製造することによって、金属箔１を所定の断面形状に成形し、連続して発泡性熱可塑性合成樹脂２をその内部に充填すると言う一連の簡易な工程により効率的に建材用複合材を製造することができる。
【産業上の利用可能性】
【００２０】
本発明によれば、帯状の金属箔をロールフォーミング等により長手方向に沿って折曲して、内部に中空部が形成されると共に該中空部に連通する開口部が側面に形成された長尺体を連続的に成形し、引き続いて前記開口部から該長尺体の前記中空部に発泡性熱可塑性合成樹脂を押出成形により充填するため、金属箔を所定の断面形状に成形し、連続して発泡性熱可塑性合成樹脂をその内部に充填すると言う一連の簡易な工程により効率的に建材用複合材を製造することができる建材用複合材の製造方法を実現できる。
【符号の説明】
【００２１】
１    金属箔
１ａ  ステンレス箔
１１  中空部
１２  開口部
１３  折曲部
２    発泡性熱可塑性合成樹脂
３    ロールコーター
４    多段曲げロール
５    押出成形機
６    冷却用水槽
７    切断機
Ｐ    建材用複合材
【図１】
2011157688.tif 000003
【図２】
2011157688.tif 000004
【図３】
2011157688.tif 000005
【図４】
2011157688.tif 000006
【図５】
2011157688.tif 000007
【図６】
2011157688.tif 000008